【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
撮影手段を有するが、通話手段と、撮影した画像を表示する表示手段を有しないデジタルカメラと、
当該デジタルカメラに着脱可能に接続し、当該デジタルカメラに給電する電池ユニットと、
前記デジタルカメラに着脱可能に接続し、前記デジタルカメラが撮影した画像を無線で通信する第１のワイヤレスユニットと、
当該第１のワイヤレスユニットと無線で接続され、前記デジタルカメラに撮影時期を無線で指示する第２のワイヤレスユニットと、
前記デジタルカメラに着脱可能に接続されるか、前記第１のワイヤレスユニットを介して無線で接続され、前記デジタルカメラが撮影前及び／又は撮影後の画像を表示する表示ユニットと、
前記デジタルカメラに着脱可能に接続し、前記デジタルカメラが撮影した画像をインターネットに送信可能なインターネット接続ユニットとを有することを特徴とするカメラシステム。
【請求項２】
前記電池ユニット、前記第１及び第２のワイヤレスユニット、前記表示ユニット及び前記インターネット接続ユニットのうちの少なくとも一つは、独自の機種番号を読み出し可能に格納する保持手段を有することを特徴とする請求項１記載のカメラシステム。
【請求項３】
前記電池ユニット、前記第１のワイヤレスユニット、前記表示ユニット及び前記インターネット接続ユニットのうちの少なくとも一つは、少なくとも一面がデジタルカメラの一面と対をなす類似の形状を有して、当該面を介して互いに接続可能であることを特徴とする請求項１記載のカメラシステム。
【請求項４】
前記電池ユニットは、前記デジタルカメラを保持する保持手段を有することを特徴とする請求項１記載のカメラシステム。
【請求項５】
前記電池ユニット、前記第１のワイヤレスユニット、前記表示ユニット及び前記インターネット接続ユニットのうちの少なくとも一つは、前記デジタルカメラと一体であることを特徴とする請求項１記載のカメラシステム。
【請求項６】
前記電池ユニットは駆動手段を更に有し、
前記第２のワイヤレスユニットは前記駆動手段を動作させることを特徴とする請求項１記載のカメラシステム。
【請求項７】
前記デジタルカメラは、撮像時に撮像された画像情報と撮像時に接続されたユニットの前記機種番号を格納する記憶手段を有することを特徴とする請求項２記載のカメラシステム。
【請求項８】
前記記憶手段は、前記デジタルカメラへの前記ユニットの接続時間を更に格納することを特徴とする請求項７記載のカメラシステム。
【請求項９】
前記デジタルカメラは、前記画像情報及び前記機種番号を暗号化して前記記憶手段に記録する制御手段を更に有することを特徴とする請求項７記載のカメラシステム。
【請求項１０】
前記デジタルカメラは、前記画像情報及び前記機種番号を読み出す際に、認証を行う制御手段を更に有することを特徴とする請求項７記載のカメラシステム。
【請求項１１】
デジタルカメラと、
当該デジタルカメラに着脱可能に接続し、当該デジタルカメラに給電する電池ユニットと、
前記デジタルカメラに着脱可能に接続し、前記デジタルカメラが撮影した画像を無線で通信する第１のワイヤレスユニットと、
当該第１のワイヤレスユニットと無線で接続され、前記デジタルカメラに撮影時期を無線で指示する第２のワイヤレスユニットと、
前記デジタルカメラに着脱可能に接続されるか、前記第１のワイヤレスユニットを介して無線で接続され、前記デジタルカメラが撮影前及び／又は撮影後の画像を表示する表示ユニットと、
前記デジタルカメラに着脱可能に接続し、前記デジタルカメラが撮影した画像をインターネットに送信可能なインターネット接続ユニットとを有するカメラシステムに用いる前記デジタルカメラであって、
通話手段と、撮影した画像を表示する表示手段を有さず、撮影手段を有することを特徴とするデジタルカメラ。
【請求項１２】
撮影手段を有するが、通話手段と、撮影した画像を表示する表示手段を有しないデジタルカメラと、
当該デジタルカメラに着脱可能に接続し、当該デジタルカメラに給電する電池ユニットと、
前記デジタルカメラに着脱可能に接続し、前記デジタルカメラが撮影した画像を無線で通信する第１のワイヤレスユニットと、
当該第１のワイヤレスユニットと無線で接続され、前記デジタルカメラに撮影時期を無線で指示する第２のワイヤレスユニットと、
前記デジタルカメラに着脱可能に接続されるか、前記第１のワイヤレスユニットを介して無線で接続され、前記デジタルカメラが撮影前及び／又は撮影後の画像を表示する表示ユニットと、
インターネット接続ユニットと、
を有するカメラシステムであって、
前記インターネット接続ユニットは、前記デジタルカメラに着脱可能に接続し、前記デジタルカメラが撮影した画像をインターネットに送信可能であることを特徴とするカメラシステム。
【手続補正２】
【補正対象書類名】明細書
【補正対象項目名】００２３
【補正方法】変更
【補正の内容】
【００２３】
1166524872631_0
に、電池ユニット２００が取り得る形態の別の例を示す。
1166524872631_1
は、ぬいぐるみや額縁のような静止的展示物をデジタルカメラ１００の保持装置として組み合わせた例で、４００はぬいぐるみ人形である。ぬいぐるみ人形４００の一部にはデジタルカメラ１００と機械的かつ電気的に接続する部分があり、デジタルカメラ１００を保持すると共にデジタルカメラ１００に電力を供給する。ぬいぐるみ人形４００は大型の電池４０１を含むか、または商用交流電力をデジタルカメラ１００に必要な電力に変換するアダプタ４０２と共に供される。ぬいぐるみ人形４００はデジタルカメラ１００だけを保持してもよいし、後述する他の付属品と共に保持してもよい。ぬいぐるみ人形４００に含まれる機種番号は電池ユニット２００に含まれる機種番号と同様に扱われる。更に、ぬいぐるみ人形４００とデジタルカメラ１００の電気的接点にはデジタルカメラ１００の記憶手段１０３に記録された情報をぬいぐるみ人形４００に伝達する手段があり、該情報はぬいぐるみ人形４００を経由してＰＣなどに読み出すことが可能である。
【手続補正３】
【補正対象書類名】明細書
【補正対象項目名】００２５
【補正方法】変更
【補正の内容】
【００２５】
1166524872631_2
に、電池ユニット２００が取り得る形態の更に別の例を示す。
1166524872631_3
は、ラジコンカーのような動的展示物をデジタルカメラ１００の保持装置として組み合わせた例で、５００はラジコンカーである。ラジコンカー５００の一部にはデジタルカメラ１００と機械的かつ電気的に接続する部分があり、デジタルカメラ１００を保持すると共に、ラジコンカー５００からデジタルカメラ１００に電力を供給する。ラジコンカー５００は大型の電池を含む。ラジコンカー５００はデジタルカメラ１００だけを保持してもよいし、後述する他の付属品と共に保持してもよい。ラジコンカー５００に含まれる機種番号保持手段５０１は電池ユニット２００に含まれる機種番号保持手段２０２と同様に扱われる。更に、ラジコンカー５００とデジタルカメラ１００の電気的接点にはデジタルカメラ１００の記憶手段１０３に記録された情報をラジコンカー５００に伝達する手段があり、該情報はラジコンカー５００を経由してＰＣなどに読み出すことが可能である。
【手続補正４】
【補正対象書類名】明細書
【補正対象項目名】００２８
【補正方法】変更
【補正の内容】
【００２８】
ワイヤレスユニット６００は、ワイヤレスユニット固有の機種番号を保持する機種番号保持手段６０１と、通信手段６０２と、ＣＰＵ６０３と、無線化手段（信号処理部）６０４と、アンテナ６０５とを有する。機種番号保持手段６０１が保持する機種番号は、デジタルカメラ１００のＣＰＵ１０６により読み出され、電池ユニット２００がデジタルカメラ１００と接続されていた時間や、接続された状態で通信していた時間又はデジタル化手段１０２より出力される画像情報を記憶手段１０３に書き込んだ時間等と共に記憶手段１０３に書き込まれる。この情報は記憶手段１０３を介することなく、ワイヤレスユニット６００の中だけで処理されてもよい。機種番号により、実際に使用したワイヤレスユニット６００を特定することができるため、使用頻度を把握して生産量にフィードバックしたり、使用したユニットに対して後払いで課金するなどの措置をとったりすることができる。
【手続補正５】
【補正対象書類名】明細書
【補正対象項目名】００２９
【補正方法】変更
【補正の内容】
【００２９】
1166524872631_4
はデジタルカメラ１００とワイヤレスユニット６００の間の信号の流れを示している。撮像手段１０１が出力する情報又は記憶手段１０３が出力する情報は通信手段１０４に送出される。一方、通信手段６０２は通信手段１０４と通信する。ＣＰＵ６０３は通信手段６０２が受信した情報を加工して無線化手段６０４に送出し、無線化手段６０４はこれを無線情報としてアンテナ６０５を介して送信する。
【手続補正６】
【補正対象書類名】明細書
【補正対象項目名】００３４
【補正方法】変更
【補正の内容】
【００３４】
1166524872631_5
に示した場合と同様に、デジタルカメラ１００から送出されるデジタル化手段１０２又は記憶手段１０３の出力は通信手段１０４と表示ユニット７００の通信手段７０１を介して、表示ユニット７００の内部に取り込まれると共に、表示ユニット７００の一面に取り付けられた表示手段７０２に表示される。ここでは、表示ユニット７００の表示手段７０２が取り付けられた面の裏側の形状が、デジタルカメラ１００に接するよう構成されている。機種番号保持手段７０３は、表示ユニット７００の固有機種番号を保存しており、ここに記憶された機種番号は、通信手段７０１と１０４を介して記憶手段１０３に格納される。機種番号により、実際に使用した表示ユニット７００を特定することができるため、使用頻度を把握して生産量にフィードバックしたり、使用したユニットに対して後払いで課金するなどの措置をとったりすることができる。
【手続補正７】
【補正対象書類名】明細書
【補正対象項目名】００３６
【補正方法】変更
【補正の内容】
【００３６】
1166524872631_6
は、デジタルカメラ１００と表示ユニット７００を２つのワイヤレスユニット６００と６００ａを介して無線接続した例である。撮像手段１０１が出力する情報又は記憶手段１０３が出力する情報は通信手段１０４に送出される。一方、ワイヤレスユニット６００に設けられた通信手段６０２はデジタルカメラ１００の通信手段１０４と接続され、通信手段１０４の信号を受信する。ＣＰＵ６０３は、通信手段６０２が受信した情報を加工した上で無線化手段６０４に送出し、無線化手段はこれを無線情報としてアンテナ６０５を介して送信する。ワイヤレスユニット６００は外部から撮影時期に関する情報を受信することができ、アンテナ６０５からこの種の信号を受信すると、無線化手段６０４、ＣＰＵ６０３を介して撮影時期決定に関する信号を通信手段６０２に送出する。この信号はデジタルカメラ１００の通信手段１０４に伝達され、ＣＰＵ１０６により指示手段１０５に代わってデジタルカメラ１００に撮影を実行させる。一方、ワイヤレスユニット６００ａはデジタルカメラ１００の通信手段１０４を介してワイヤレスユニット６００の作用により放出された電波を受信し、その信号を通信手段６０２ａを介して表示ユニット７００の通信手段７０１に伝達する。
1166524872631_7
に示す構成は表示内容を遠隔地で観測すること、及び、遠隔地で表示内容を確認しながらデジタルカメラのシャッターを切ることを可能としている。
【手続補正８】
【補正対象書類名】図面
【補正対象項目名】図３
【補正方法】変更
【補正の内容】
【図３】
2005175851.tif 000001